(57)【要約】  可動式の消火用泡放出システムである。該システムは、車両の後方にて牽引されることが可能なトレーラを備えることができる。トレーラは、上面と底面と側面とを有するフレームを備えている。トレーラは安定バラストアセンブリを備えて形成されている。トレーラには、ノズルアセンブリに連結している入口部が取り付けられている。ノズルアセンブリは放出ノズル装置を備えている。ノズルアセンブリは、限られた範囲で動くように構成されている。また、ポンプ及びホースシステムが備えられている。該ポンプ及びホースシステムは、水及び泡消火薬剤を高い体積流量でトレーラに多様な形態で提供することができる。また、マニホールドが備えられている。該マニホールドは、出口部を有する本体と、本体に結合されている複数の入口部と、本体に結合されている少なくとも１つの圧力逃し弁と、を備えている。
2007503880.tif 000002
【特許請求の範囲】
【請求項１】
可動式消火システムであって、
本体と、前記本体に結合されている複数の入口部と、前記本体に結合されている少なくとも１つの圧力逃し弁と、を備えるマニホールドと、
前記マニホールドに結合されている入口部と、出口部と、を形成しているポンプ装置と、
放出装置と、
から成り、
前記本体は、少なくとも１２インチの直径を有する出口部を形成しており、
前記複数の入口部は、水と泡消火薬剤との混合物の少なくとも１つの供給源に結合されており、
前記ポンプ装置は、前記水と泡消火薬剤との混合物の圧力を上昇させ、
前記放出装置は、
所定の質量体で満たされるように形成されたタンクを備える安定バラストと、
前記ポンプ装置に結合されており、少なくとも１２インチの直径を有する入口部と、
前記水と泡消火薬剤との混合物を炎に向けて放出する放出ノズルを備える放出ノズルアセンブリと、
を備えていることを特徴とする可動式消火システム。
【請求項２】
前記マニホールドは、第１導管によって、前記ポンプ装置に結合されており、前記ポンプ装置は、第２導管によって、前記放出装置に結合されており、前記第１導管及び前記第２導管は、それぞれ、少なくとも１２インチの直径を有することを特徴とする請求項１に記載の可動式消火システム。
【請求項３】
前記放出装置は、前記水と泡消火薬剤との混合物を毎分８０００ガロンの体積流量で放出することができることを特徴とする請求項１に記載の可動式消火システム。
【請求項４】
前記ポンプ装置及び前記放出装置の両者は、所望の場所に移動するように形成されている可動式の装置であることを特徴とする請求項１に記載の可動式消火システム。
【請求項５】
前記可動式消火システムは、更に、少なくとも２つのマニホールドと、Ｙ形連結部材と、から成り、前記少なくとも２つのマニホールドの各々の出口部は前記Ｙ形連結部材の２つの入口部の一方に結合されており、前記Ｙ形連結部材の出口部は前記ポンプ装置に結合されており、前記Ｙ形連結部材の前記入口部と前記出口部とは、それぞれ、少なくとも１２インチの直径を有することを特徴とする請求項１に記載の可動式消火システム。
【請求項６】
前記マニホールドは、少なくとも３つの圧力逃し弁を備えていることを特徴とする請求項１に記載の可動式消火システム。
【請求項７】
前記マニホールドの前記複数の入口部は、前記マニホールドの前記本体の長手軸に対して４５度の角度だけ傾いて配置されていることを特徴とする請求項１に記載の可動式消火システム。
【請求項８】
可動式消火システムであって、
本体と、前記本体に結合されている複数の入口部と、前記本体に結合されている少なくとも１つの圧力逃し弁と、を備えるマニホールドと、
放出装置と、
から成り、
前記本体は、少なくとも１２インチの直径を有する出口部を形成しており、
前記複数の入口部は、水と泡消火薬剤との混合物の少なくとも１つの供給源に結合されており、
前記放出装置は、
所定の質量体で満たされるように形成されたタンクを備える安定バラストと、
前記マニホールドに結合されており、少なくとも１２インチの直径を有する入口部と、
前記水と泡消火薬剤との混合物を炎に向けて放出する放出ノズルを備える放出ノズルアセンブリと、
を備えていることを特徴とする可動式消火システム。
【請求項９】
前記マニホールドは、少なくとも１２インチの直径を有する導管によって、前記放出装置に結合されていることを特徴とする請求項８に記載の可動式消火システム。
【請求項１０】
前記放出装置は、前記水と泡消火薬剤との混合物を毎分８０００ガロンの体積流量で放出することができることを特徴とする請求項８に記載の可動式消火システム。
【請求項１１】
前記放出装置は、所望の場所に移動するように形成されている可動式の装置であることを特徴とする請求項８に記載の可動式消火システム。
【請求項１２】
前記可動式消火システムは、更に、少なくとも２つのマニホールドと、Ｙ形連結部材と、から成り、前記少なくとも２つのマニホールドの各々の出口部は前記Ｙ形連結部材の２つの入口部の一方に結合されており、前記Ｙ形連結部材の出口部はポンプ装置に結合されており、前記Ｙ形連結部材の前記入口部と前記出口部とは、それぞれ、少なくとも１２インチの直径を有していることを特徴とする請求項８に記載の可動式消火システム。
【請求項１３】
前記マニホールドは、少なくとも３つの圧力逃し弁を備えていることを特徴とする請求項８に記載の可動式消火システム。
【請求項１４】
前記マニホールドの前記複数の入口部は、前記マニホールドの前記本体の長手軸に対して４５度の角度だけ傾いて配置されていることを特徴とする請求項８に記載の可動式消火システム。
【請求項１５】
可動式の消火用泡放出装置であって、
車両の後方にて牽引されることが可能なトレーラと、
安定バラストアセンブリと、
入口部と、
から成り、
前記トレーラは、上面と底面と側面とを有するフレームを備えており、
前記安定バラストアセンブリは前記フレームに結合されており、前記安定バラストアセンブリは、所定の質量体で満たされるように形成されたタンクを備えており、
前記入口部は前記フレームに形成されており、前記入口部は高い体積流量を可能にし、前記入口部は放出ノズルアセンブリに連結されており、前記放出ノズルアセンブリは前記トレーラの前記上面に結合されており、前記放出ノズルアセンブリは、水と泡消火薬剤との混合物を放出する放出ノズルを備えており、
前記安定バラストアセンブリ及び前記放出ノズルアセンブリは、前記トレーラの使用中、前記トレーラを安定させ、前記入口部における高い体積流量を支持することを特徴とする可動式の消火用泡放出装置。
【請求項１６】
前記入口部は、８インチ、１０インチ、１２インチ、１４インチ、或いは１６インチの直径を有することを特徴とする請求項１５に記載の可動式の消火用泡放出装置。
【請求項１７】
前記入口部は、毎分８０００ガロンの体積流量を可能にすることを特徴とする請求項１５に記載の可動式の消火用泡放出装置。
【請求項１８】
可動式の泡消火システムであって、
泡消火薬剤供給体と、
前記泡消火薬剤供給体と水源とに結合されている第１ウォーターポンプと、
前記第１ウォーターポンプに結合されている第１端部と、可動式消火装置に結合されている第２端部と、を有する第１導管と、
第２ウォーターポンプと、
前記第２ウォーターポンプに結合されている第１端部を有する第２導管と、
前記第１導管の前記第２端部と前記第２導管の第２端部とに結合されている入口部と、前記可動式消火装置に結合された第３導管に結合されている出口部と、を有するＹ形連結部材と、
から成り、
前記可動式消火装置は、水と泡消火薬剤とを炎に向けて放出するように形成されており、
前記第１導管と、前記第２導管と、前記Ｙ形連結部材の前記入口部及び前記出口部と、は、少なくとも８インチ、１０インチ、１２インチ、１４インチ、或いは１６インチの直径を有することを特徴とする可動式の泡消火システム。
【請求項１９】
可動式の消火用泡放出システムのマニホールドであって、
出口部を形成している本体と、
前記本体に結合されている複数の入口部と、
前記本体に結合されている少なくとも１つの圧力逃し弁と、
から成ることを特徴とするマニホールド。
【請求項２０】
前記本体の前記出口部の直径は少なくとも１２インチであることを特徴とする請求項１９に記載のマニホールド。
【請求項２１】
前記複数の入口部は、前記本体の長手軸に対して４５度の角度だけ傾いて配置されていることを特徴とする請求項１９に記載のマニホールド。
【請求項２２】
可動式消火システムであって、
可動式の消火用泡放出装置と、
前記可動式の消火用泡放出装置に結合されているマニホールドと、
から成り、
前記マニホールドは、
出口部を形成している本体と、
前記本体に結合されている複数の入口部と、
前記本体に結合されている少なくとも１つの圧力逃し弁と、
を備えていることを特徴とする可動式消火システム。
【請求項２３】
前記複数の入口部は、前記本体の長手軸に対して４５度の角度だけ傾いて配置されていることを特徴とする請求項２２に記載の可動式消火システム。
【発明の詳細な説明】
【技術分野】
【０００１】
本発明は消火用泡放出システムに関する。詳しくは、本発明は、泡消火薬剤と水との混合物を高い体積流量で放出できる可動式の消火用泡放出システムに関する。
【背景技術】
【０００２】
可動式の消火装置は、燃料タンク等の大型の貯蔵タンクの火災を消火する泡消火薬剤と水との混合物を放出するために広く用いられており周知である。このような装置は、典型的に、トレーラを採用している。トレーラは、外部の供給源からポンプによって供給された水及び泡消火薬剤の双方が流入する入口を備えている。この入口はノズルアセンブリに接続されている。ノズルアセンブリは、通常、トレーラの上面に取り付けられている。ノズルアセンブリは、直線状の穴を有する非アスピレータ型ノズルとして提供されている。ノズルアセンブリは制御盤を用いて制御され、水及び泡消火薬剤が流出される方向が手動で操作されるとともに可動式の消火装置が監視される。トレーラは、電動車両に取り付けられて移動できるように、ホイールアセンブリ及びボールヒッチを通常備えている。トレーラは揺動部材を備えることができる。揺動部材は、使用中のトレーラを安定させる際、トレーラの側部から外方にスイングして地面に接触する。
【０００３】
水或いは水と泡消火薬剤との混合物は、１つ或いはそれ以上の供給源から延びる１つ或いはそれ以上のホースを用いてトレーラに供給される。典型的にこれらのホースの第１端部は、水源或いは水と泡消火薬剤との混合物の供給源に連結されており、該ホースの第２端部は、トレーラに連結されている。
【発明の開示】
【発明が解決しようとする課題】
【０００４】
しかし、上記のような装置は、その入口の連結部分が比較的小さいために、限られた流量しか収容できず、大型の貯蔵タンクの火災の消火に必要とされる比較的高い体積流量を考慮したものとはなっていない。このように収容できる流量が限られているために、水源と炎との間の距離及び高度差がそれぞれ短くて小さい場合にしか対応できず、また、特定の炎を消火するためには大型の設備又は追加の設備が必要となる場合や、大型の追加設備が必要となる場合もある。
【０００５】
上記装置の設計は意図した特定の目的には適しているが、泡消火薬剤と水との混合物を比較的高い体積流量で放出するためには、可動式消火用泡放出システムに更なる改良を施さなければならない。
【課題を解決するための手段】
【０００６】
本発明は消火用泡放出システムに関する。詳しくは、本発明は、泡消火薬剤と水との混合物を高い体積流量で放出できる可動式の消火用泡放出システムに関する。
【０００７】
本発明の１の概念によると、本発明は、少なくとも１２インチの直径を有する出口部を形成している本体と、本体に結合されている複数の入口部と、本体に結合されている少なくとも１つの圧力逃し弁と、を備えるマニホールドを具備している可動式消火システムに関する。複数の入口部は、水と泡消火薬剤との混合物の少なくとも１つの供給源に結合されている。また、消火システムは、ポンプ装置と、放出装置と、を備えている。ポンプ装置は、マニホールドに結合されている入口部と、出口部と、を形成している。ポンプ装置は水と泡消火薬剤との混合物の圧力を上昇させる。放出装置は、所定の質量体で満たされるように形成されたタンクを備える安定バラストと、ポンプ装置に結合されており少なくとも１２インチの直径を有する入口部と、水と泡消火薬剤との混合物を炎に向けて放出する放出ノズルを備える放出ノズルアセンブリと、を備えている。
【０００８】
本発明の他の概念によると、本発明は、少なくとも１２インチの直径を有する出口部を形成している本体と、本体に結合されている複数の入口部と、本体に結合されている少なくとも１つの圧力逃し弁と、を備えるマニホールドを具備している可動式消火システムに関する。複数の入口部は、水と泡消火薬剤との混合物の少なくとも１つの供給源に結合されている。消火システムは、また、放出装置を備えている。放出装置は、所定の質量体で満たされるように形成されたタンクを備える安定バラストと、ポンプ装置に結合されており少なくとも１２インチの直径を有する入口部と、水と泡消火薬剤との混合物を炎に向けて放出する放出ノズルを備える放出ノズルアセンブリと、を具備している。
【０００９】
本発明の更なる他の概念によると、本発明は、車両の後方にて牽引されることが可能なトレーラと、安定バラストアセンブリと、入口部と、を備える可動式の消火用泡放出装置に関する。トレーラは、上面と底面と側面とを有するフレームを備えている。安定バラストアセンブリは、フレームに結合されている。安定バラストアセンブリは、所定の質量体で満たされるように形成されたタンクを備えている。入口部はフレームに形成されている。入口部は高い体積流量を可能にする。入口部は放出ノズルアセンブリに連結されている。放出ノズルアセンブリはトレーラの上面に結合されている。放出ノズルアセンブリは、水と泡消火薬剤との混合物を放出する放出ノズルを備えている。安定バラストアセンブリ及び放出ノズルアセンブリは、トレーラの使用中に該トレーラを安定させ、入口部における高い体積流量を支持する。
【００１０】
本発明の更なる他の概念によると、本発明は、泡消火薬剤供給体と、泡消火薬剤供給体と水源とに結合されている第１ウォーターポンプと、第１ウォーターポンプに結合されている第１端部と可動式消火装置に結合されている第２端部とを有する第１導管と、を備える可動式の泡消火システムに関する。可動式消火装置は、水と泡消火薬剤とを炎に向けて放出するように形成されている。また、泡消火システムは、第２ウォーターポンプと、第２ウォーターポンプに結合されている第１端部を有する第２導管と、Ｙ形連結部材と、を備えている。Ｙ形連結部材は、第１導管の第２端部と第２導管の第２端部とに結合されている入口部と、可動式消火装置に結合された第３導管に結合されている出口部と、を有している。第１導管と、第２導管と、Ｙ形連結部材の入口部及び出口部と、は、少なくとも８インチ、１０インチ、１２インチ、１４インチ、或いは１６インチの直径を有する。
【００１１】
本発明の更なる他の概念によると、本発明は、可動式の消火用泡放出システムのマニホールドに関する。マニホールドは、出口部を形成している本体と、本体に結合されている複数の入口部と、本体に結合されている少なくとも１つの圧力逃し弁と、を備えている。
【００１２】
本発明の更なる他の概念によると、本発明は、可動式の消火用泡放出装置と、可動式の消火用泡放出装置に結合されているマニホールドと、を備える可動式の消火用泡放出システムに関する。マニホールドは、出口部を形成している本体と、本体に結合されている複数の入口部と、本体に結合されている少なくとも１つの圧力逃し弁と、を備えている。
【００１３】
本発明を特徴付ける新規性と、上記効果と、その他の各種効果とは、以下の詳細な記載において指摘されている。本発明とその効果と本発明の目的とをよく理解するために、本願の一部を構成する添付図面及びその図面に示された本発明に係わる特定の装置の一例に関する説明を参照されたい。
【発明を実施するための最良の形態】
【００１４】
本願の一部を構成する添付の図面を参照して、本発明の実施例を説明する。また、添付の図面において、対応する部品には類似の参照番号が付されている。本発明の趣旨及び範囲を逸脱しない限り構造の変更が可能であるので他の実施例も可能であることは理解されたい。
【００１５】
図１〜図３は、本発明の１実施例における可動式の消火用泡放出装置１０を示している。可動式の消火用泡放出装置１０は、電動車両の後方にて牽引されることが可能なトレーラ２０を備えている。１実施例において、トレーラ２０はヒッチフレーム５０を備えている。ヒッチフレーム５０は、トレーラ２０のメインフレーム２０ａの端部に連結されている。ヒッチフレーム５０の端部にはヒッチ部５２が設けられている。ヒッチ部５２が設けられているヒッチフレーム５０の端部の反対側において、ヒッチフレーム５０はメインフレーム２０ａに連結されている。１実施例において、ヒッチ部５２はボール型の適当なヒッチから成る。ヒッチ部５２は、トレーラを牽引するのに使用される周知のいかなるヒッチ構造のものでもよいことは理解されたい。また、可動式の消火用泡放出装置１０を牽引するのに適していれば、ヒッチフレーム５０は、いかなる構造及び形状でもよく、図示された形状に限定されるものではないことも理解されたい。
【００１６】
トレーラ２０のメインフレーム２０ａは、上面２２と、側面２４と、底面２６と、をそれぞれ有している。１実施例において、メインフレーム２０ａは、箱形フレームとして実質的な構造及び形状を有している。メインフレーム２０ａは、安定バラストアセンブリを備えて形成されている。安定バラストアセンブリは、メインフレーム２０ａ内に形成及び内蔵されているタンク６０を少なくとも１つ備えている。タンク６０は、所定の質量体で満たされる容積を有している。１実施例においては、タンク６０は、約７００ガロンの水を保有するように形成されている。水で満たされたタンク６０は、メインフレーム２０ａ内に内蔵される所要の安定バラストとして、使用中の可動式の消火用泡放出装置１０を安定させる。
【００１７】
例えば毎分８０００ガロン（８０００ＧＰＭ）もの高い体積流量での放出を行う状況では、水を用いた上記バラストが提供されているので、メインフレーム２０ａはそのような高い体積流量での放出を支えることができる。タンク６０及びメインフレーム２０ａの寸法は、可動式の消火用泡放出装置１０の安定に適した体積の水を保有するのに望ましい寸法に変更可能であることは理解されたい。また、タンク６０は、必要に応じて水以外の質量体で満たされることが可能であることも理解されたい。上面２２にはオーバーフロー穴２８が設けられている。
【００１８】
更に、安定バラストアセンブリは、メインフレーム２０ａの側部２４とヒッチフレーム５２とに取り付けられている複数のジャッキスタンド６２を備えている。ジャッキスタンド６２はメインフレーム２０ａの隅に移動可能に取り付けられており、メインフレーム２０ａが鉛直方向に移動して地面から離れることができるようになっている。ジャッキスタンド６２は、接地プレート６４を地面に接触させるラッチ開放部材６６を備えている。ジャックスタンド６２はレッグスタンドとなっているので、トレーラ２０は、接地された状態で実質的に固定されて、使用される際に安定する。水で満たされたタンク６０及び／又はジャッキスタンド６２は、高い体積流量での放出中にトレーラが移動することを防止し、可動式の消火用泡放出装置１０の安全な使用の持続に貢献することができる。
【００１９】
トレーラは、メインフレーム２０ａの側部に取り付けられている複数のホイールアセンブリ６８を更に備えている。１実施例において、ホイールアセンブリ６８は、縦方向に並んで取り付けられている２つのホイールアセンブリから成る。図１及び図２には、各ホイールアセンブリの片方のホイールしか示されていない。各ホイールアセンブリ６８の１対のホイールは互いに対向しており、図示されたホイール（反対側のホイールは図示せず）と同様に配設されていることは理解されたい。ホイールアセンブリ６８は、可動式の消火用泡放出装置１０が牽引されるとき或いは配置されるときに、トレーラ２０を支持して安定させる。１実施例において、ホイールアセンブリ６８は、およそ３５００パウンド（ｌｂ）の車軸を備えている。
【００２０】
入口部３０はトレーラ２０の片側に取り付けられている。入口部３０は、水と泡消火薬剤との混合物が高い体積流量で流入するような構造及び形状を有している。入口部３０は、大型の貯蔵タンクの火災の消火に広く使用される多数の泡消火薬剤に適合することは理解されたい。入口部３０は、８インチ、１０インチ、１２インチ、１４インチ等の大きな直径を有するが、これらの数値に限定されるものではない。入口部３０の直径は１６インチ以上でもよいことは理解されたい。入口部３０は、圧力が約１１５ｐｓｉで約８０００ＧＰＭを上限とした高い体積流量或いは８０００ＧＰＭ以上の高い体積流量を受け入れることができる。入口部は、より大きな圧力でより大きな体積流量を受け入れるように形成されていてもよいことは理解できよう。１実施例において、入口部３０は、加圧された水と泡消火薬剤との混合物の流れを受け入れるために、所定の長さの周知の可撓性ホーシング（hosing）（図示せず）に連結されている。可撓性ホーシングの長さは約２５フィートである。可撓性ホーシングは、周知のヴィクトリック（Victaulic）ホース連結部材或いはストーツ（Storz）ホース連結部材を用いて入口部３０に連結される。１２インチのヴィクトリック連結部材或いはストーツ連結部材が１実施例では使用されている。連結部材のサイズ及び他の周知の形状が採用可能であることは理解されたい。
【００２１】
入口部３０は、該入口部３０に流入した水と泡消火薬剤とを運搬する流路３２を備えている。流路３２は入口部３０と放出ノズルアセンブリ４０とを連結する。放出ノズルアセンブリ４０は、トレーラ２０の上面２２に連結した基部４８を備えている。導管４２の一端は基部４８に連結している。導管４２の他端には放出ノズル４４が配設されている。放出ノズルアセンブリ４０は、使用者が上面２２の上に立ちながら可動式の消火用泡放出装置１０を手動で操作して監視することができるように、制御盤４６を備えている。
【００２２】
放出ノズルアセンブリ４０は、導管４２に連結された複数の制御ハンドルを用いて手動で操作される。１実施例において、放出ノズルアセンブリ４０は、６：６：１の膨張比で十分な泡を放出させることが可能なノン・セルフ・エダクティングノズル（non self-educting nozzle）としての構造及び形状を有している。このような形状の放出ノズルアセンブリ４０を備える可動式の消火用泡放出装置１０は、大規模な火災の際に遭遇する浸透性を有する熱の上昇気流に適している。多数のハンドルを使用することによって、放出ノズルアセンブリ４０の移動を制限して水と泡消火薬剤との放出を適宜に制御して使用者を安全な状態に保つ。
【００２３】
１実施例において、ノズルアセンブリ４０は、液体の放出パターンを変える手動式の機械を備えている。この機械によって、使用者は、例えば液体の直線的な放出から半霧状の放出まで様々な放出パターンを選択することができる。
【００２４】
ノズル作動ハンドル４６ｃは、放出ノズルアセンブリ４０がノズル４４の出口４５を介して水と泡消火薬剤とからなる流体を放出することを可能にする。回転ハンドル４６ａによって、放出ノズルアセンブリ４０は軸を中心として回転して調整されることが可能になる。該軸からは基部が延びている。１実施例において、回転ハンドル４６ａによって、放出ノズルアセンブリ４０は約３４０度に制限された範囲内で回転可能である。図３は放出ノズルアセンブリ４０の回転範囲を示しており、該回転範囲は弧４５ａによって示される。
【００２５】
仰角ハンドル４６ｂによって、放出ノズルアセンブリ４０は、上面２２の平面に対する放出ノズル４４の仰角を調整することができる。１実施例において、この仰角ハンドルによって、ノズルは約１５度〜約９０度の範囲での放出を行うことができる。図２は放出ノズル４４の仰角の範囲を示している。このような構成によって、放出ノズルアセンブリは、水と泡消火薬剤とを高い体積流量で約４５０フィート以上の高さまで放出することができる。更に、放出ノズルアセンブリの一部には機械的な停止部材（図示せず）が採用され、ノズルの移動を更に制限し、安全な作業状況を提供している。
【００２６】
１実施例において、可動式の消火用泡放出装置１０は、水と泡消火薬剤とを入口部３０に送出する周知のポンプシステムに連結可能である。可動式の消火用泡放出装置１０は、多数の導管を互いに連結するマニホールド及びダクトに連結可能となっている。該多数の導管は、水源及び泡消火薬剤の供給源からそれぞれポンプによって送られてきた水及び泡消火薬剤を運搬する。これらの導管は、水及び泡消火薬剤を所望の圧力でダクト及び入口部３０に送出する。これを達成するために使用されるダクトは、キディ・ファイア・ファイティング社のスーパー・アクアダクト（Super Aquaduct）（登録商標）である。このようなダクトはマニホールドの出口部に連結可能である。該マニホールドは、該出口部と、水及び泡消火薬剤の導管を互いに連結させる多数の入口部と、有している。１実施例において、マニホールドは、水及び泡消火薬剤の導管を互いに連結させるために５インチ又は６インチのヴィクトリック或いはストーツ連結部材を備えている。必要であれば他のサイズの連結部材及び他の周知の形状の連結部材を採用できることは理解されたい。
【００２７】
ジェットポンプを用いる周知の混合方法によって、泡消火薬剤は、泡消火薬剤供給源から汲み取られ、水流に導入され、そして、消火用泡放出装置１０に送られる。一例として、水及び泡消火薬剤の所望の総流量は約８０００ＧＰＭである。例えば、各々が３０００ＧＰＭの流量を提供する２つのジェットポンプと、２０００ＧＰＭの流量を提供する１つのジェットポンプと、からなる構成を用いることによって、８０００ＧＰＭの総流量が達成される。これらのジェットポンプの構成は、泡消火薬剤の混合率を典型的な数値である３パーセント或いは６パーセントにするのに使用される。このようなジェットポンプの構成からなるシステムの概略は図９〜図１４に示されている。図９〜図１４の詳細については後ほど説明する。
【００２８】
図４、図５、図６Ａ及び図６Ｂは、可動式の消火用泡放出装置１０の入口部３０及びダクトに水を送出するために使用される（トランスファーポンプ或いはブースターポンプと称される）可動式ウォーターポンプ３００の一例を示している。可動式ウォーターポンプ３００は移動可能である。また、可動式ウォーターポンプ３００は、大量の水が必要とされ且つ加圧された水の供給源が得られない状況、或いは、ウォーターシステム（water system）が十分な圧力を提供できない状況において使用できる。ウォーターポンプ３００は、淡水或いは塩水との使用に適している。
【００２９】
１実施例において、ウォーターポンプ３００は、６フィートのサクションリフト（saction lift）、１５０ｐｓｉの圧力、約５０００ＧＰＭの高流量で動作するように構成されている。ウォーターポンプ３００は、より高い体積流量及び圧力で動作するように構成されていてもよいことは理解されたい。可動式のウォーターポンプは、箱型フレームを有するトレーラ３４０を備えている。トレーラ３４０にはディーゼルエンジン３１０が取り付けられている。トレーラ３４０は、電動車両の後方にて牽引されるためにヒッチを備えている。１実施例において、ディーゼルエンジンは、６００ＨＰの馬力と２１００ＲＰＭの回転数を有するように設計されている。箱形フレームは、また、約３００ガロンの容積を有している燃料タンクとしての役割を担っている。この燃料タンクは４インチの燃料充填用接続部材（fuel fill connection）及び４分の３インチの燃料タンクベント（fuel tank vent）３１７を有している。燃料タンク内の燃料は一時間当たり約２９ガロン（約１１０リットル）消費され、１０時間の燃料供給が行われる。
【００３０】
トレーラ３４０は、１４０００ＧＶＷの定格車両総重量を有するように設計されており、非可動式即ち常置用のトレーラとして使用するために取り外して利用できるので便利である。ホイールアセンブリ３４１は可動性を提供するために備えられたものである。ホイールチョック３４２は、ウォーターポンプ３００の使用される際或いは保管される際に、ウォーターポンプ３００を安定させるために使用される。トレーラ３４０は、また、適当な保管室及びホース用溝を備えている。更に、視認性及び安全性を確保するために、反射ストリップ３２８及びスポットライト３２２が設けられている。１実施例において、定格７０００パウンド（ｌｂｓ）のフロントジャッキ３２０が設けられている。また、リフティングリング（lifting ring）３４６及び折りたたみ式のステップ（folding step）３４４が設けられている。
【００３１】
水は、水源からウォーターポンプ３００の吸引マニホールド３３８の吸引連結部材３３７まで、例えば、１つ又はそれ以上の吸引ホース３３９を用いて送られる。吸引ホース３３９が、６×１０フィートＰＶＣホース（6×10 foot  PVC hose）として構成されている。吸引マニホールド３３８は、後述する図７Ａ、図７Ｂ及び図７Ｃにより詳細に示されている。１実施例において、吸引連結部材３３７は、水平面から約１５度だけ下方に傾斜しており、吸引連結部材３３７に連結されているホースに掛かる応力を低減させている。水は吸引マニホールド３３８からポンプ３３０に送られる。
【００３２】
水は、その後、ウォーターポンプ３３０によって、１０インチのヴィクトリックキャップ及び送出マニホールド３３４を有する大径ホース連結部材３３６内を通過する。送出マニホールド３３４は、複数の送出用連結部材３３２を有している。複数の送出用連結部材３３２は、例えば、ポンプ３３０によって送られてきた水を１つ或いはそれ以上のホースを介して上記トレーラ２０の入口部３０に送る。送出用連結部材３３２は、バルブ付の送出用連結部材として設けられている。送出用連結部材３３２はキャップを有しており、様々のサイズのヴィクトリック連結部材及び／又はストーツ連結部材で構成される。１実施例において、５インチのストーツ連結部材が５つ、１０インチのヴィクトリック連結部材が１つ、そして２．５インチのＮＨ連結部材３３３が１つ使用されている。１２インチ、１４インチ、１６インチ、或いはそれ以上の大径を有する連結部材も使用可能である。連結部材３３３は、水平面から約１０度だけ傾斜しており、連結部材３３３に連結されているホースに掛かる応力を低減させている。１実施例において、ウォーターポンプ３００は、６インチの産業用のサイレンサ３１８を有する排気部を備えている。
【００３３】
図６Ｂを特に参照すると、ホース３７４、３６８は、水をウォーターポンプ３００から例えばトレーラ２０に送るために使用される。１実施例において、ホース３７４、３６８は、１２インチ、１４インチ、１６インチ或いはそれ以上の直径を有しており、同様の直径を有する接地用送出エルボ３７０によって互いに結合されている。ヴィクトリック連結部材或いはストーツ連結部材３６６を備えるパイプアダプタ３６４は、ホース３６８を複数の送出用連結部材３３２のうちの１つに結合させるために使用されている。ウォーターポンプ３００からの水の流れを必要に応じて停止及び開始させるために閉鎖弁３６２、３７２が設けられている。
【００３４】
図４に戻って参照すると、ウォーターポンプ３００は、エンジンを制御するための操作者用パネル３２６と、マニホールドの圧力計３２４と、を備えている。操作者用パネル３２６は、エンジンの始動及び停止と、エンジンの機能の監視と、ポンプに呼び水を差す作業と、吸引圧力及び送出圧力の監視と、に要する制御を行う。１実施例において、操作者用パネルは、吸引作業或いは送出作業が使用者に明確になるように、配置されている。電気系統が装備されており、この電気系統は、２つの１２ＶＤＣヘビー・デューティー・バッテリと１１５ＡＭＰ交流発電機とに依存している。バッテリ充電器３１２と、バッテリ充電器及びエンジンヒータへの接続部３１３と、が備えられている。ポンプに呼び水を差すシステム３１４は、２つの１２ＶＤＣ電気プライマ（12VDC electric primer）を備えている。
【００３５】
上述のように、ウォーターポンプ３００は、淡水或いは塩水との使用が可能である。水源の種類には、可動式の貯水器と、川、湖、海等の自然水源、或いは既存の水供給源（例えば消火栓）とが含まれるが、これらに限定されることはない。
【００３６】
上記の可動式ウォーターポンプ３００の部品は例示的なものにすぎない。所望の仕様でウォーターポンプを作動させる際に、必要に応じてウォーターポンプの部品を変更させることも可能である。更に、ウォーターポンプ３００は、全ての場合に必要とされるわけではない。例えば、泡消火薬剤のポンプ及び水源からの圧力で十分な場合もある。
【００３７】
図７Ａ、図７Ｂ及び図７Ｃは、吸引マニホールド３３８の一例をさらに詳しく示している。吸引マニホールド３３８は、吸引連結部材３３７ａ、３３７ｂ、３３７ｃ、３３７ｄ、３３７ｅ、３３７ｆを備えているが、これ以上の個数又はこれ以下の個数の連結部材を備えていてもよい。１実施例において、各連結部材３３７ａ、３３７ｂ、３３７ｃ、３３７ｄ、３３７ｅ、３３７ｆは、６インチの直径を有しており、ねじ切りされている。連結部材３３７ａ、３３７ｂ、３３７ｃ、３３７ｄ、３３７ｅ、３３７ｆは、１２インチの直径を有するマニホールド３３８の主要部３８８に対して流体結合され、直角に形成され、且つ、溶着されている。
【００３８】
棒状ベーン３８４は、ウォーターポンプ３００に結合している吸引マニホールド３３８の出口フランジ３８２に設けられている。ベーン３８４は直角に形成されている。ベーン３８４の先端縁及び末端縁は４５度の傾斜面を有して先端が尖るように研がれている。出口フランジ３８２は、各種の方法によって、ウォーターポンプ３００に結合可能となっている。１実施例において、出口フランジ３８２は１２インチの直径を有している。出口フランジ３８２は、吸引マニホールド３３８がウォーターポンプ３００から取り外されて必要に応じて異なるマニホールドと交換可能となるように、ボルトによってウォーターポンプ３００に結合されている。これは、例えば、異なる個数或いはサイズの連結部材を有するマニホールドを提供するためには望ましいことである。カップリング３８６は、例えば、ポンプ３００のアイドリングの際に該ポンプ３００を冷却した状態に維持するために水を再循環させるのに使用される。
【００３９】
吸引マニホールド３３８は様々な理由により有益である。例えば、吸引マニホールド３３８の形状によって、水は乱流及びチョップ（chop）が最小限に抑えられた状態でポンプ３００にチャネル状の層流となって流れることができる。これは、例えば、ポンプ３３０の効率を最大にするのに有効である。
【００４０】
可動式の消火用泡放出装置１０及び可動式ウォーターポンプ３００の使用方法の一例を以下で述べる。最初に、トレーラ２０は、放出ノズルアセンブリ４０の回転範囲内において危険物（例えば炎）が含まれる範囲が最大となるように、配置される。次に、牽引車両がトレーラ２０から取り外され、ジャッキスタンド６２が配備及び調整されて、ジャッキトレーラ２０は実質的に水平な動作位置に配置され、ホイールアセンブリ６８が地面から若干離れる。水平器は、各ホイールアセンブリ６８に位置しており、入口部３０に隣接し、トレーラ２０を水平に配置するのを支援する。
【００４１】
次に、ドレインバルブが閉まり、タンク６０は、水で満たされて、可動式の消火用泡放出装置１０を安定させる。１実施例では、タンクは完全に水で満たされる。次いで、ダクト（例えば、スーパー・アクアダクト（登録商標））が入口部３０に取り付けられる。そして、ダクトにおいて、入口部３０に取り付けられている端部とは反対側の端部にはマニホールドが配置されている。該マニホールドには水及び泡消火薬剤の線路が結合される。
【００４２】
次いで、水と泡消火薬剤の供給は、所望の圧力及び濃度になるまで、ゆっくりと行われる。最後に、放出ノズルアセンブリ４０の導管４２に接続されている操作ハンドルが操作されて所望の放出方向、放出軌道、放出パターンが選択される。
【００４３】
この使用例において、可動式の消火用泡放出装置１０の動作を停止させる際、泡消火薬剤の供給が遮断され、水は、泡消火薬剤がシステム及びホースから放出され尽くすまで流れる。
【００４４】
図８Ａ、図８Ｂ、図８Ｃ及び図８Ｄにおいて、上記の可動式消火用泡放出装置１０及び／又は可動式ウォーターポンプ３００に使用可能なマニホールドの一例が参照符号８００で示されている。概して、マニホールド８００は、図９〜図１４に示されるシステムを参照（例えば、マニホールド１４０、２４０、５４０ａ、５４０ｂを参照）して以下で述べられているように、２つ或いはそれ以上の供給源からの水又は水と泡消火薬剤との混合物を合流させて１つの出口に送るために使用される。この１つの出口は、例えば可動式の消火用泡放出装置１０及び／又は可動式ウォーターポンプ３００に結合することができる。
【００４５】
マニホールド８００は、入口端部８１９と出口端部８１８とを有する円筒形の本体８１０を備えている。図示された実施例においては本体８１０の直径は少なくとも１２インチであるが、６インチ、８インチ、１０インチ、１４インチ、１６インチ等の他の数値を用いることもできる。入口端部８１９及び出口端部８１８は、それぞれ、１２インチのヴィクトリックカップリング及び１２インチのヴィクトリックカップリングキャップを備えている。１２インチのヴィクトリックカップリングキャップは、入口端部及び出口端部がそれぞれ使用される前に、取り外される。
【００４６】
本体８１０からは複数の供給入口部８１５が延びている。図示された実施例において、マニホールド８００は６つの供給入口部８１５を備えているが、これよりも少ない或いは多い数の供給入口部がマニホールド８００に備えられることも可能である。供給入口部８１５は、それぞれ、６インチのアダプタ及び５インチのストーツキャップ８１７を備えている。図示された実施例において、供給入口部８１５は、それぞれ、本体８１０の長手軸に対しておよそ４５度の角度だけ傾いた状態で延びている。以下で更に述べるが、供給入口部８１５は、マニホールド８００内に層流を提供するために、本体８１０に対して傾いた状態で配設されている。
【００４７】
また、本体８１０には、複数の逃し弁８２０と栓８２２とが配設されている。図示された実施例においては本体８１０は３つの逃し弁８２０を備えているが、これよりも多い或いは少ない数の逃し弁８２０が備えられることも可能である。１実施例において、逃し弁８２０は、ペンシルバニア州のエリー（Erie）のハリントン社（Harrington）によって製造されたモデルＨＲＶ−８２−Ｓバルブである。他の種類の逃し弁も使用可能である。栓８２２は４分の１インチＳ／Ｓプラグである。以下で更に述べるが、逃し弁８２０及び栓８２２は、マニホールド８００内にある圧力を測定して抜くために使用される。
【００４８】
また、本体８１０には２つのハンドル８３２、８３４が結合されている。ハンドル８３２、８３４は、マニホールド８００を掴んで所望の場所に運ぶために使用される。ベース８４０は、マニホールド８００が配置された表面に対して本体８１０を安定した状態で配置するために、本体８１０の下方に設けられている。
【００４９】
図示された実施例において、マニホールド８００はアルミニウムで形成されている。しかし、マニホールド８００は、例えば、鋼等の他の素材を使用して形成されることも可能である。
【００５０】
マニホールド８００の使用方法の一例を以下で述べる。事前に、マニホールド８００のベース８４０は所望の場所の表面上に配置されている。次に、供給入口部８１５に付いている１又はそれ以上のキャップ８１７は取り除かれて、１又はそれ以上の供給ホースが１又はそれ以上の供給入口部８１５に結合される。また、マニホールド８００の出口端部８１８のキャップは取り除かれて、ホースが出口端部８１８に結合される。
【００５１】
次いで、水及び／又は水と泡消火薬剤との混合物が供給ホースから供給入口部８１５を介してマニホールド８００の本体８１０内に導入される。２つ又はそれ以上の供給入口部８１５からの水及び／又は水と泡消火薬剤との混合物は本体８１５内で合流して出口端部８１８から出る。供給入口部８１５が本体８１０に対して傾いているので、それぞれの供給入口部８１５から来る流れは有効に互いに合流して、実質的に一様な層流となって出口端部８１８を通る。
【００５２】
マニホールド８００の本体８１０内の圧力が所定のしきい値を超えたとき、水及び／又は水と泡消火薬剤との混合物の一部を本体８１０内から放出することによって該圧力を抜くように、１或いはそれ以上の逃し弁８２０は構成されている。１実施例において、逃し弁８２０は、本体８１０内の圧力が１７５ｐｓｉのしきい値を超えたときに該圧力を抜くように構成されているが、この逃し弁は、他の異なるしきい値の圧力に対応して構成されることも可能である。加えて、栓８２２は、２つの作業、即ち、手動で圧力を抜くことと、本体８１０内の圧力の監視に使用される圧力計を挿入することとを行えるようにするために取り外し可能となっている。
【００５３】
他の実施例において、マニホールド８００と他のマニホールドとが縦方向に並んだ状態で互いに結合して収容能力を高めることができる。例えば、マニホールド８００の入口８１９のキャップが取り外され、上記他のマニホールドの出口がマニホールド８００の入口８１９に結合されて、例えば、６つの入口ではなく１２個の入口を有する結合マニホールドが形成されることになる。
【００５４】
図９〜図１４は、他の実施例におけるポンプシステムの概略を示している。該ポンプシステムは、本発明に係わる可動式の消火用泡放出装置を備えている。
【００５５】
図９は、１つのジェットポンププロポーショナー(jet pump proportioner)のポンプシステム１００を示している。このシステムは、上限が約３パーセントの低い注入率に対応するように構成されている。泡消火薬剤は、ウォーターポンプ１２０から出ている水路に対して泡消火薬剤供給源１１０から注入され、ポンプ１３０に送られて水と混合され、その後、マニホールド１４０（例えば、図８Ａ、図８Ｂ、図８Ｃ及び図８Ｄに示されるマニホールド８００を参照）に送出される。水と泡消火薬剤との混合物は、マニホールド１４０からダクト１６０ａ及び消火用泡放出装置１６０に送出されて消火を行う。前述の可動式ウォーターポンプ３００は、この実施例においては、ウォーターポンプ１２０として採用されている。更なるウォーターポンプ１５０は、泡消火薬剤の所望の分量及び注入率を達成させるために取水量を増加させるのに使用される。ウォーターポンプ１５０は、消火栓等の周知の水源１５０ａからの水を提供する。
【００５６】
図１０は、デュアルジェットポンプ（dual jet pump）のポンプシステム２００を示している。このデュアルジェットポンプの構成は、上限が約６パーセントの高い泡消火薬剤の注入率に対応している。従って、デュアルジェットポンプの構成が使用される。泡消火薬剤は、ウォーターポンプ２２０から出ている水路に対して泡消火薬剤供給源２１０から注入され、ウォーターポンプ２１０に戻されて水と混合され、その後、マニホールド２４０に送出される。水と泡消火薬剤との混合物は、マニホールド２４０からダクト２６０ａ及び消火用泡放出装置２６０に送出されて消火を行う。前述の可動式ウォーターポンプ３００は、ウォーターポンプ２２０として採用されている。更なるウォーターポンプ２５０は、マニホールド２４０への取水量を増加させるのに使用される。ウォーターポンプ２５０は、消火栓等の周知の水源２５０ａからの水を提供する。この第２のウォーターポンプ２５０は、所要の流量を満たすためにマニホールド２４０内に追加の水を送り込み、その結果として、所望の注入率での泡消火薬剤の注入を達成させる。
【００５７】
図１１は、他のポンプシステム４００を示している。該ポンプシステム４００には、泡消火薬剤供給源４１０とウォーターポンプ４２０、４５０とが含まれている。水と泡消火薬剤との混合物はホース４６２ａ、４６２ｂ、４６２ｃを介して消火用泡放出装置４６０に送出される。ホース４６２ａ、４６２ｂ、４６２ｃは、それぞれ、１２インチ、１４インチ、１６インチ又はそれ以上の直径を有する。また、Ｙ形連結部材４７０は、ホース４６２ａからの流れとホース４６２ｂからの流れとを互いに合流させてホース４６２ｃに送出するために使用される。ホース４６２ｃは消火用泡放出装置４６０に結合している。この実施例においては、Ｙ形連結部材４７０の入口部及び出口部は、それぞれ、１２インチ、１４インチ、１６インチ又はそれ以上の直径を有している。
【００５８】
図１２は、他のポンプシステム５００を示している。該ポンプシステム５００には、泡消火薬剤供給源５１０とウォーターポンプ５２０、５３０、５５０とが含まれている。水と泡消火薬剤との混合物は、マニホールド５４０ａ、５４０ｂ及びホース５６２ａ、５６２ｂ、５６２ｃを介して消火用泡放出装置５６０に送出される。マニホールド５４０ａ、５４０ｂの出口部及びホース５６２ａ、５６２ｂ、５６２ｃは、それぞれ、１２インチ、１４インチ、１６インチ又はそれ以上の直径を有している。更に、Ｙ形連結部材５７０は、ホース５６２ａからの流れとホース５６２ｂからの流れとを互いに合流させてホース５６２ｃに送出するために使用される。ホース５６２ｃは消火用泡放出装置５６０に結合している。この実施例においては、Ｙ形連結部材５７０の入口部及び出口部は、それぞれ、１２インチ、１４インチ、１６インチ又はそれ以上の直径を有している。
【００５９】
図１３は、他のポンプシステム６００を示しており、このポンプシステム６００は図１２に示されたポンプシステム５００に類似している。しかし、ポンプシステム６００は、ホース５６２ｃに結合されたウォーターポンプ６７０を備えている。ウォーターポンプ６７０は、ホース６６２ｄを介して消火用泡放出装置５６０に送出される水の圧力を上げるために使用される。
【００６０】
図１４は、他のポンプシステム７００を示しており、このポンプシステム７００は図１２に示されたポンプシステム５００に類似している。しかし、ポンプシステム７００は、ホース５６２ａ、５６２ｂに結合されたウォーターポンプ７７０ａ、７７０ｂを備えている。ウォーターポンプ７７０ａ、７７０ｂの出力は、ホース７６２ｄ、７６２ｅを介して、Ｙ形連結部材５７０に提供され、そして、ホース５６２ｃを介して消火用泡放出装置５６０に提供される。
【００６１】
ポンプシステム１００、２００、４００、５００、６００、７００のようなシステムを構成することは様々な理由から有効である。例えば、ポンプシステム４００、５００、６００、７００は、少なくとも１２インチ、１４インチ、１６インチ、又はそれ以上の直径を有するホースと、少なくとも１２インチ、１４インチ、１６インチ又はそれ以上の直径を有する出口部及び入口部を備えるＹ形連結部材と、を具備している。その結果、全ての導管が少なくとも１２インチ、１４インチ、１６インチ又はそれ以上の直径を有する構成をシステム全体で備えることができる。これらの導管の直径が大きいことによって、摩擦損失及び摩擦損失の結果として起こる圧力損失が少ない流体が高流量で流れることが可能となる。
【００６２】
従って、互いに遠く離れており且つ高さのそれぞれ異なる水源から水を炎に向けて送出することが可能となる。更に、ホースの直径が大きいことと、多数のホースからの流れを互いに合流させることができるＹ形連結部材の直径が大きいこととから、ホースに過剰な圧力を掛けることなく高流量の水を提供することができる。加えて、流体の流量が増加したので、大規模な火災に対して、比較的小さい消火設備で消火を行うことができる。
【００６３】
以上で本発明の実施例を説明したが、その他の変形例及び均等物の構成が当業者には可能である。このような変形例及び均等物の構成は特許請求の範囲に含まれている。
【図面の簡単な説明】
【００６４】
【図１】本発明の一実施例における可動式の消火用泡放出装置の斜視図。
【図２】図１に示された可動式の消火用泡放出装置の側面図。
【図３】図１に示された可動式の消火用泡放出装置の平面図。
【図４】図１の可動式の消火用泡放出装置に水を送出するポンプシステムに使用される可動式ウォーターポンプの側面図。
【図５】図４の可動式ウォーターポンプの平面図。
【図６Ａ】図４の可動式ウォーターポンプの後面図。
【図６Ｂ】図４の可動式ウォーターポンプの別の後面図。
【図７Ａ】図４に示されるポンプシステムに使用可能な吸引マニホールドの斜視図。
【図７Ｂ】図７Ａの吸引マニホールドの平面図。
【図７Ｃ】図７Ａの吸引マニホールドの側面図。
【図８Ａ】消火用泡放出システムに使用可能なマニホールドの斜視図。
【図８Ｂ】図８Ａのマニホールドの平面図。
【図８Ｃ】図８Ａのマニホールドの側面図。
【図８Ｄ】図８Ａのマニホールドの端面図。
【図９】本発明に係わる可動式の消火用泡放出装置を含むポンプシステムの概略図。
【図１０】本発明に係わる可動式の消火用泡放出装置を含む他のポンプシステムの概略図。
【図１１】本発明に係わる可動式の消火用泡放出装置を含む他のポンプシステムの概略図。
【図１２】本発明に係わる可動式の消火用泡放出装置を含む他のポンプシステムの概略図。
【図１３】本発明に係わる可動式の消火用泡放出装置を含む他のポンプシステムの概略図。
【図１４】本発明に係わる可動式の消火用泡放出装置を含む他のポンプシステムの概略図。
【図１】
2007503880.tif 000003
【図２】
2007503880.tif 000004
【図３】
2007503880.tif 000005
【図４】
2007503880.tif 000006
【図５】
2007503880.tif 000007
【図６Ａ】
2007503880.tif 000008
【図６Ｂ】
2007503880.tif 000009
【図７Ａ】
2007503880.tif 000010
【図７Ｂ】
2007503880.tif 000011
【図７Ｃ】
2007503880.tif 000012
【図８Ａ】
2007503880.tif 000013
【図８Ｂ】
2007503880.tif 000014
【図８Ｃ】
2007503880.tif 000015
【図８Ｄ】
2007503880.tif 000016
【図９】
2007503880.tif 000017
【図１０】
2007503880.tif 000018
【図１１】
2007503880.tif 000019
【図１２】
2007503880.tif 000020
【図１３】
2007503880.tif 000021
【図１４】
2007503880.tif 000022
【国際調査報告】
2007503880.tif 000023
2007503880.tif 000024
2007503880.tif 000025
2007503880.tif 000026
2007503880.tif 000027